(57)【要約】【課題】殺菌効果を高めることができる給水器を提供する。【解決手段】給水器２は、注水口１６を有し、注水口１６から注がれた水を貯めるための貯水タンク４と、貯水タンク４に貯められた水を給水するための給水口６と、貯水タンク４の内部に配置され、貯水タンク４に貯められた水に紫外線を照射することにより、当該水を殺菌する光源１０と、光源１０からの紫外線を貯水タンク４に貯められた水に照射している間、当該水を攪拌するための攪拌機構１４とを備える。【選択図】図４
2017170341.tif 000002
【特許請求の範囲】
【請求項１】
注水口を有し、前記注水口から注がれた水を貯めるための貯水タンクと、
前記貯水タンクに貯められた水を給水するための給水口と、
前記貯水タンクの内部に配置され、前記貯水タンクに貯められた水に紫外線を照射することにより、当該水を殺菌する光源と、
前記光源からの紫外線を前記貯水タンクに貯められた水に照射している間、当該水を攪拌するための攪拌機構と、を備える
給水器。
【請求項２】
前記攪拌機構は、
前記貯水タンクの内部に配置され、複数の羽根を有する攪拌部材と、
前記攪拌部材を、回転軸線を中心に回転させる駆動源と、を有し、
前記攪拌部材は、前記回転軸線を中心に回転することにより、前記貯水タンクに貯められた水を攪拌する
請求項１に記載の給水器。
【請求項３】
前記給水器は、さらに、前記注水口に開閉可能に取り付けられた蓋部を備え、
前記攪拌部材は、前記蓋部の裏面に回転可能に取り付けられている
請求項２に記載の給水器。
【請求項４】
前記攪拌部材は、前記貯水タンクの底部に回転可能に取り付けられている
請求項２に記載の給水器。
【請求項５】
前記攪拌部材は、前記貯水タンクの側部に回転可能に取り付けられている
請求項２に記載の給水器。
【請求項６】
前記攪拌機構は、前記光源を前記貯水タンクの内部で移動させる駆動源を有し、
前記光源は、前記駆動源によって前記貯水タンクの内部で移動することにより、前記貯水タンクに貯められた水を攪拌する
請求項１に記載の給水器。
【請求項７】
前記攪拌機構は、前記貯水タンクに貯められた水を加熱するヒータを有し、
前記ヒータは、前記貯水タンクに貯められた水を加熱することによって発生した対流により当該水を攪拌する
請求項１に記載の給水器。
【請求項８】
前記貯水タンクの内側面には、前記貯水タンクの周方向に沿って螺旋状に延びる凹凸部が形成されている
請求項１〜７のいずれか１項に記載の給水器。
【発明の詳細な説明】
【技術分野】
【０００１】
本発明は、水を給水するための給水器に関する。
【背景技術】
【０００２】
例えば発展途上国等においては、家庭用の水道水であっても、マイクロコッカス菌又は大腸菌等の細菌が混入している場合がある。そのため、家庭用の水道水等を紫外線により殺菌するための水殺菌装置が提案されている（例えば、特許文献１参照）。
【０００３】
従来の水殺菌装置では、家庭用の水道水等を貯水タンクに注いだ後に、貯水タンクに貯められた水に光源からの紫外線を照射することにより、当該水を殺菌する。これにより、殺菌後の水が貯水タンクに貯められる。貯水タンクには給水口（蛇口）が取り付けられており、貯水タンクに貯められた水を給水口から給水して飲用水等として利用することができる。
【先行技術文献】
【特許文献】
【０００４】
【特許文献１】特開２００５−２１１８５１号公報
【発明の概要】
【発明が解決しようとする課題】
【０００５】
しかしながら、上述した従来の水殺菌装置では、光源からの紫外線の一部は貯水タンクに貯められた水に吸収されてしまうため、光源から遠い位置に存在する水まで紫外線が到達し難く、十分な殺菌効果を得ることができないという課題が生じる。
【０００６】
本発明は、このような課題に鑑みてなされたものであり、殺菌効果を高めることができる給水器を提供することを目的とする。
【課題を解決するための手段】
【０００７】
上記課題を解決するために、本発明の一態様に係る給水器は、注水口を有し、前記注水口から注がれた水を貯めるための貯水タンクと、前記貯水タンクに貯められた水を給水するための給水口と、前記貯水タンクの内部に配置され、前記貯水タンクに貯められた水に紫外線を照射することにより、当該水を殺菌する光源と、前記光源からの紫外線を前記貯水タンクに貯められた水に照射している間、当該水を攪拌するための攪拌機構と、を備える。
【発明の効果】
【０００８】
本発明の一態様に係る給水器によれば、殺菌効果を高めることができる。
【図面の簡単な説明】
【０００９】
【図１】実施の形態１に係る給水器を示す斜視図である。
【図２】実施の形態１に係る給水器の貯水タンクを抜き出して示す斜視図である。
【図３】実施の形態１に係る給水器の蓋部を抜き出して示す斜視図である。
【図４】図１のＩＶ−ＩＶ線断面図である。
【図５】実施の形態１に係る給水器の動作の流れを示すフローチャートである。
【図６】実施の形態１に係る給水器の動作の流れを示す模式図である。
【図７】実施の形態２に係る給水器を示す断面図である。
【図８】実施の形態３に係る給水器の貯水タンクを抜き出して示す斜視図である。
【図９】実施の形態３に係る給水器を示す断面図である。
【図１０】実施の形態４に係る給水器の蓋部を抜き出して示す斜視図である。
【図１１】実施の形態４に係る給水器を示す断面図である。
【図１２】実施の形態５に係る給水器を示す断面図である。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態１）
以下、実施の形態１に係る給水器について説明する。
【００１３】
［１−１．給水器の全体構成］
まず、図１〜図４を参照しながら、実施の形態１に係る給水器２の全体構成について説明する。図１は、実施の形態１に係る給水器２を示す斜視図である。図２は、実施の形態１に係る給水器２の貯水タンク４を抜き出して示す斜視図である。図３は、実施の形態１に係る給水器２の蓋部８を抜き出して示す斜視図である。図４は、図１のＩＶ−ＩＶ線断面図である。なお、図２では、給水口６及び取っ手２６の図示を省略してある。
【００１４】
図１に示すように、給水器２は、水を給水するためのいわゆるウォータージャグである。具体的には、給水器２は、例えば水道水、井戸水、湧き水又は雨水等の水（以下、「未殺菌水」ともいう）に紫外線（ＵＶ光）を照射することにより、当該水を殺菌する。給水器２は、殺菌後の水（以下、「殺菌水」ともいう）を飲用水又は料理用水等として給水する。なお、給水器２は、持ち運び可能であり、屋内又は屋外に設置されて用いられる。
【００１５】
図１〜図４に示すように、給水器２は、貯水タンク４、給水口６、蓋部８、光源１０、駆動回路部１２及び攪拌機構１４を備えている。以下、給水器２のこれらの各構成要素について詳細に説明する。
【００１６】
［１−２．貯水タンク］
図１、図２及び図４を参照しながら、貯水タンク４について説明する。
【００１７】
貯水タンク４は、内部に水を貯めるためのタンク（容器）である。図１、図２及び図４に示すように、貯水タンク４は、有底略円筒状に形成されている。貯水タンク４の上端部には、略円形状の注水口１６が形成されている。注水口１６は、貯水タンク４の内部に未殺菌水を注ぐための開口部である。貯水タンク４の下端部は、底部４ａによって閉塞されている。
【００１８】
図４に示すように、貯水タンク４は、内側容器１８及び外側容器２０により構成された二重構造を有している。内側容器１８は、内部に水を貯めるための容器である。内側容器１８に貯められる水の容量は、例えば最大１０リットルである。外側容器２０は、貯水タンク４の外郭を形成するための容器である。外側容器２０は、内側容器１８よりも大きく、且つ、内側容器１８を覆うように配置されている。
【００１９】
内側容器１８及び外側容器２０の各々は、有底略円筒状に形成され、例えばステンレス等の金属材料で形成されている。内側容器１８及び外側容器２０の各々の上端部には、略円形状の開口部が形成されている。図４に示すように、内側容器１８の開口部と外側容器２０の開口部とは接続されており、内側容器１８の開口部が上述した注水口１６として機能する。
【００２０】
図４に示すように、内側容器１８と外側容器２０との間には、空間２２が形成されている。空間２２は、例えば真空等の減圧された空間である。これにより、内側容器１８と外側容器２０との間における熱の伝達が抑制されるので、内側容器１８に貯められた水の温度を保つことができる。
【００２１】
なお、内側容器１８及び外側容器２０の各々は、金属材料に限らず、例えば樹脂材料等で形成されていてもよい。この場合、内側容器１８の内側面は、例えばめっき処理等により金属材料で覆われていてもよい。
【００２２】
図２に示すように、貯水タンク４の底部４ａの近傍における外側面には、給水口６を接続するための孔部２４が形成されている。図４に示すように、孔部２４は、内側容器１８の内部と外側容器２０の外部とを連通する断面略円形状の孔である。
【００２３】
図１に示すように、貯水タンク４の上端部の近傍における外側面には、略Ｕ字状の取っ手２６が回動可能に取り付けられている。取っ手２６は、給水器２を持ち運ぶ際に、ユーザによって把持される。取っ手２６は、例えばポリプロピレン等の樹脂材料で形成されている。
【００２４】
［１−３．給水口］
次に、図１及び図４を参照しながら、給水口６について説明する。
【００２５】
給水口６は、貯水タンク４に貯められた水（殺菌水）を給水するための部材である。図１及び図４に示すように、給水口６は、蛇口部２８及び操作レバー３０を有している。なお、給水口６は、例えばポリプロピレン（ＰＰ）等の樹脂材料で形成されている。
【００２６】
蛇口部２８は、貯水タンク４の孔部２４に接続され、貯水タンク４の外側面から外部に突出している。操作レバー３０は、例えば回動式のレバーであり、蛇口部２８に設けられている。操作レバー３０を手前側（Ｙ軸のマイナス側）に回動させた際には、蛇口部２８内の流路が開放され、貯水タンク４に貯められた水が蛇口部２８から給水される。また、操作レバー３０を奥側（Ｙ軸のプラス側）に回動させた際には、蛇口部２８内の流路が操作レバー３０により閉塞され、蛇口部２８からの給水が停止される。
【００２７】
［１−４．蓋部］
次に、図１、図３及び図４を参照しながら、蓋部８について説明する。
【００２８】
蓋部８は、貯水タンク４の注水口１６を覆うための部材である。図１に示すように、蓋部８は、ＸＹ平面視で略円形状を有している。蓋部８を貯水タンク４に対してネジ締めの要領で回転させることにより、蓋部８が貯水タンク４の注水口１６に開閉可能に取り付けられる。図３及び図４に示すように、蓋部８は、表面部８ａ及び裏面部８ｂを有している。
【００２９】
表面部８ａは、中空の切頭略円錐状に形成されている。表面部８ａは、例えばポリプロピレン等の樹脂材料で形成されている。蓋部８が貯水タンク４の注水口１６に取り付けられた際には、表面部８ａは、注水口１６を上方から覆うように配置される。
【００３０】
図１及び図４に示すように、表面部８ａには、貯水タンク４の内部を視認するための窓部３２が設けられている。窓部３２は、貫通孔３２ａ、拡散部材３２ｂ、反射部材３２ｃ及び透光性部材３２ｄを有している。
【００３１】
貫通孔３２ａは、蓋部８を表面から裏面に向かう方向（Ｚ軸方向）に貫通する孔である。拡散部材３２ｂは、光源１０からの青白光を拡散させるための部材であり、貫通孔３２ａの上端部を閉塞するように配置されている。拡散部材３２ｂは、例えば表面にシボ加工が施された樹脂材料等で形成されている。反射部材３２ｃは、光源１０からの青白光を反射するための部材であり、貫通孔３２ａの側面を覆うように配置されている。反射部材３２ｃは、例えばアルミニウム等で形成された金属膜である。透光性部材３２ｄは、光源１０からの青白光を透過させるための部材であり、貫通孔３２ａの下端部を閉塞するように配置されている。透光性部材３２ｄは、例えば透明なガラス等で形成されている。
【００３２】
光源１０からの青白光は、透光性部材３２ｄを透過した後に、反射部材３２ｃで反射しながら貫通孔３２ａの下端部から上端部に向けて伝播する。その後、青白光は、拡散部材３２ｂにより拡散されながら蓋部８の外部に出射する。これにより、窓部３２が青白く光るようになる。したがって、ユーザは、窓部３２を目視することにより、光源１０が点灯しているか否かを判断することができる。すなわち、ユーザは、窓部３２が青白く光っている場合には光源１０が点灯していると判断し、窓部３２が青白く光っていない場合には光源１０が消灯していると判断することができる。
【００３３】
図１及び図４に示すように、表面部８ａには、さらに、殺菌状態を表示するためのインジケータ３４と、給水器２の電源をオン又はオフさせるための電源スイッチ４８（後述する）とが設けられている。
【００３４】
インジケータ３４は、ＬＥＤ（Ｌｉｇｈｔ  Ｅｍｉｔｔｉｎｇ  Ｄｉｏｄｅ）基板３６及び透光性カバー３８を有している。ＬＥＤ基板３６は、複数のＬＥＤ素子が実装されたプリント配線基板である。ＬＥＤ基板３６は、表面部８ａの内部に配置されている。透光性カバー３８は、表面部８ａ上に取り付けられており、ＬＥＤ基板３６に対向する位置に配置されている。
【００３５】
ＬＥＤ基板３６からの光は、透光性カバー３８を透過して蓋部８の外部に出射する。ユーザは、インジケータ３４のＬＥＤ素子の発光数又は発光色等を見ることにより、殺菌状態（例えば、殺菌完了までの残り時間等）を判断することができる。
【００３６】
図３に示すように、裏面部８ｂは、有底略円筒状に形成されている。裏面部８ｂは、例えばステンレス等の金属材料で形成されている。図４に示すように、蓋部８が貯水タンク４の注水口１６に取り付けられた際には、裏面部８ｂは、注水口１６を通して貯水タンク４の内部に配置される。なお、裏面部８ｂの下面に反射性を持たせることにより、光源１０からの紫外線を裏面部８ｂの下面で反射させることができる。
【００３７】
［１−５．光源］
次に、図３及び図４を参照しながら、光源１０について説明する。
【００３８】
光源１０は、貯水タンク４に貯められた水（未殺菌水）に紫外線を照射することにより、当該水を殺菌するための光源である。図３及び図４に示すように、光源１０は、貯水タンクの内部に配置され、ランプ４０及びガード部材４２を有している。
【００３９】
ランプ４０は、例えば２００ｎｍ〜４００ｎｍの範囲にピーク波長を有する紫外線を発する水銀灯（低圧水銀蒸気放電ランプ）である。本実施の形態では、ランプ４０は、一例として、ピーク波長が２５３．７ｎｍの紫外線を発する。ランプ４０は、内部に水銀蒸気等が封止された直管状のガラス管４０ａと、ガラス管４０ａの上端に接続された給電部４０ｂとを有している。
【００４０】
なお、ランプ４０は、紫外線だけでなく、青白光も発する。ランプ４０からの青白光は、上述した窓部３２を通して蓋部８の外部に出射する。なお、ランプ４０は、水銀灯に限らず、例えば紫外線を発するＬＥＤランプ等であってもよい。
【００４１】
図３及び図４に示すように、ランプ４０は、蓋部８の裏面部８ｂの下面における略中央部に取り付けられている。具体的には、給電部４０ｂは、蓋部８の裏面部８ｂを貫通するように取り付けられ、裏面部８ｂ内に配置されたコネクタ４６（後述する）に電気的に接続されている。ガラス管４０ａは、蓋部８の裏面部８ｂの下面に対して略垂直に延び、且つ、裏面部８ｂの下面から貯水タンク４の内部に向けて（Ｚ軸のマイナス側に）長尺状に突出している。ガラス管４０ａの下端（先端）は、貯水タンク４の底部４ａの近傍に配置されている。
【００４２】
ランプ４０は、例えば６Ｗの消費電力で３分間照射することにより、約８リットルの水を殺菌することができる。なお、６Ｗの消費電力で紫外線を３分間照射する実験を行った結果、８リットルの水に含まれるマイクロコッカス菌を９９．９％殺菌することができた。
【００４３】
ガード部材４２は、ランプ４０の破損を抑制するための部材である。ガード部材４２は、蓋部８の裏面部８ｂの下面に取り付けられ、ランプ４０の全周囲を囲むように配置されている。ガード部材４２は、立体格子形状を有しており、例えばステンレス等の金属材料で形成されている。このガード部材４２によって、例えば蓋部８を貯水タンク４から取り外して机又は床等に置いた際に、ランプ４０が机又は床等に直接接触するのを抑制することができる。
【００４４】
図４に示すように、ランプ４０及びガード部材４２の各々は、貯水タンク４に規定容量（例えば１０リットル）の水が貯められた際に、それらの大部分が貯められた水に浸かる。そのため、ランプ４０及びガード部材４２の各々は、防水性を有することが好ましい。
【００４５】
［１−６．駆動回路部］
次に、図４を参照しながら、駆動回路部１２について説明する。
【００４６】
駆動回路部１２は、給水器２の動作を制御するためのコントロールユニットである。図４に示すように、駆動回路部１２は、蓋部８の内部に配置されており、インバータ４４、コネクタ４６、電源スイッチ４８、メイン回路基板５０及びタイマー部５２を有している。なお、図示しないが、インバータ４４、コネクタ４６、電源スイッチ４８、メイン回路基板５０及びタイマー部５２は、ケーブル又は基板上に形成された配線パターン等の配線を介して電気的に相互に接続されている。
【００４７】
インバータ４４は、ランプ４０に供給するための交流電力を生成する。具体的には、インバータ４４は、外部電源（図示せず）から供給されてきた交流電力（例えば商用電力）を所定の周波数の交流電力に変換し、変換後の交流電力を、コネクタ４６を介してランプ４０に供給する。
【００４８】
コネクタ４６は、インバータ４４からの交流電力をランプ４０に供給するための接続部材である。コネクタ４６には、ランプ４０の給電部４０ｂが電気的に接続されている。コネクタ４６は、ケーブル（図示せず）を介してインバータ４４に電気的に接続されている。
【００４９】
メイン回路基板５０は、例えばマイクロコンピュータで構成され、給水器２の動作を制御する。メイン回路基板５０は、例えば、ランプ４０の点灯制御、インジケータ３４の表示制御及び駆動源５４（後述する）の駆動制御等を行う。
【００５０】
具体的には、メイン回路基板５０は、電源スイッチ４８が押下されたことを検知した際には、ランプ４０への交流電力の供給を開始するようにインバータ４４を制御し、且つ、攪拌部材５６（後述する）の回転を開始するように駆動源５４を制御する。その後、メイン回路基板５０は、電源スイッチ４８が再度押下されたことを検知した際には、ランプ４０への交流電力の供給を停止するようにインバータ４４を制御し、且つ、攪拌部材５６の回転を停止するように駆動源５４を制御する。
【００５１】
電源スイッチ４８は、給水器２の電源をオン又はオフするための押下スイッチである。電源スイッチ４８は、メイン回路基板５０上に実装されている。電源スイッチ４８が押下された際には、給水器２の電源がオンした後に、ランプ４０からの紫外線の照射及び攪拌部材５６の回転が開始する。その後、電源スイッチ４８が再度押下された際には、ランプ４０からの紫外線の照射及び攪拌部材５６の回転が停止した後に、給水器２の電源がオフする。
【００５２】
タイマー部５２は、ランプ４０の点灯時間をカウントする。タイマー部５２は、メイン回路基板５０上に実装されている。タイマー部５２は、ランプ４０による紫外線の照射が開始されたタイミングからカウントを開始する。タイマー部５２は、カウントの開始から予め設定された設定時間（例えば３分）が経過したタイミングで、殺菌完了信号をメイン回路基板５０に出力する。メイン回路基板５０は、タイマー部５２からの殺菌完了信号を受信した際に、ランプ４０への電力の供給を停止するようにインバータ４４を制御し、且つ、攪拌部材５６の回転を停止するように駆動源５４を制御する。
【００５３】
［１−７．攪拌機構］
次に、図３及び図４を参照しながら、実施の形態１に係る給水器２の特徴である攪拌機構１４について説明する。
【００５４】
攪拌機構１４は、ランプ４０からの紫外線を貯水タンク４に貯められた水（未殺菌水）に照射している間、貯水タンク４に貯められた水を攪拌するための機構である。図３及び図４に示すように、攪拌機構１４は、蓋部８の裏面部８ｂの下面における外周縁の近傍に取り付けられている。攪拌機構１４は、駆動源５４及び攪拌部材５６を有している。
【００５５】
駆動源５４は、例えば電動モータであり、攪拌部材５６を回転させるための回転駆動力を発生する出力軸（図示せず）を有している。駆動源５４は、蓋部８の内部に配置されている。
【００５６】
攪拌部材５６は、例えばプロペラファンであり、シャフト５６ａ及び複数の羽根５６ｂを有している。シャフト５６ａは、蓋部８の裏面部８ｂを貫通してランプ４０と略平行に（Ｚ軸方向に）長尺状に延びており、蓋部８の内部に配置された軸受５８に回転可能に支持されている。シャフト５６ａの上端部は、駆動源５４の出力軸に連結されている。これにより、シャフト５６ａは、駆動源５４の出力軸と一体的に回転するようになる。複数の羽根５６ｂは、シャフト５６ａの下端部に固定されており、シャフト５６ａの径方向外側に向けて放射状に延びている。複数の羽根５６ｂの高さ位置（Ｚ軸方向における位置）は、例えば、ランプ４０の長手方向における中央部の近傍に位置している。
【００５７】
攪拌部材５６は、駆動源５４からの回転駆動力が伝達されることにより、Ｚ軸方向に延びる回転軸線Ｃ１を中心に所定方向に回転する。
【００５８】
［１−８．給水器の動作］
次に、図４〜図６を参照しながら、実施の形態１に係る給水器２の動作について説明する。図５は、実施の形態１に係る給水器２の動作の流れを示すフローチャートである。図６は、実施の形態１に係る給水器２の動作の流れを示す模式図である。
【００５９】
まず、図６の（ａ）に示すように、ユーザは、給水器２の電源がオフの状態で、給水器２の蓋部８を貯水タンク４の注水口１６から取り外す。次に、ユーザは、例えば水道の蛇口６０から供給される水道水（未殺菌水）を、注水口１６を通して貯水タンク４の内部に注ぐ。その後、図６の（ｂ）に示すように、ユーザは、手６２で蓋部８を貯水タンク４の注水口１６に取り付ける。これにより、給水器２は、ユーザが電源スイッチ４８を押下するまでの間、電源オフの状態で待機する（Ｓ１でＮＯ）。
【００６０】
ユーザが電源スイッチ４８を押下した際には（Ｓ１でＹＥＳ）、駆動回路部１２のメイン回路基板５０は、給水器２の電源をオンした後に、ランプ４０への交流電力の供給及び駆動源５４の駆動を開始させる。これにより、図６の（ｃ）に示すように、ランプ４０は、貯水タンク４に貯められた水に紫外線の照射を開始し、駆動源５４は、攪拌部材５６の回転を開始する（Ｓ２）。貯水タンク４に貯められた水が攪拌部材５６によって攪拌されている間、ランプ４０からの紫外線が貯水タンク４に貯められた水に照射されることにより、当該水が殺菌される。
【００６１】
タイマー部５２がカウントを開始してから設定時間が経過するまでの間（Ｓ３でＮＯ）、ランプ４０は紫外線を照射し続け、且つ、駆動源５４は攪拌部材５６を回転させ続ける（Ｓ２）。図４に示すように、攪拌部材５６が回転することにより、貯水タンク４に貯められた水が攪拌される。これにより、ランプ４０から遠い位置に存在する水がランプ４０の近傍に流動するようになるので、ランプ４０からの紫外線を貯水タンク４に貯められた水全体にまんべんなく照射することができる。
【００６２】
設定時間が経過した際には（Ｓ３でＹＥＳ）、メイン回路基板５０は、ランプ４０への交流電力の供給及び駆動源５４の回転を停止させる。これにより、ランプ４０は、貯水タンク４に貯められた水への紫外線の照射を停止し、駆動源５４は、攪拌部材５６の回転を停止する（Ｓ４）。以上のようにして水の殺菌処理が終了し、貯水タンク４の内部には、殺菌水が貯められるようになる。
【００６３】
なお、設定時間が経過する前に、ユーザが水の殺菌処理を強制的に終了させたい場合には、ユーザは電源スイッチ４８を再度押下すればよい。
【００６４】
その後、図６の（ｄ）に示すように、ユーザは、例えば給水口６の操作レバー３０を操作することにより、貯水タンク４に貯められた水（殺菌水）を給水口６の蛇口部２８を通してコップ６４に注いで、飲用水等として利用することができる。
【００６５】
[１−９．効果]
上述したように、本実施の形態の給水器２は、注水口１６を有し、注水口１６から注がれた水を貯めるための貯水タンク４と、貯水タンク４に貯められた水を給水するための給水口６と、貯水タンク４の内部に配置され、貯水タンク４に貯められた水に紫外線を照射することにより、当該水を殺菌する光源１０と、光源１０からの紫外線を貯水タンク４に貯められた水に照射している間、当該水を攪拌するための攪拌機構１４とを備える。
【００６６】
これによれば、攪拌機構１４は、光源１０からの紫外線を貯水タンク４に貯められた水に照射している間、当該水を攪拌する。これにより、光源１０から遠い位置に存在する水が光源１０の近傍に流動するようになるので、光源１０からの紫外線を貯水タンク４の内部に貯められた水全体にまんべんなく照射することができる。その結果、比較的短時間で貯水タンク４に貯められた水を殺菌することができ、殺菌効果を高めることができる。
【００６７】
さらに、攪拌機構１４は、貯水タンク４の内部に配置され、複数の羽根５６ｂを有する攪拌部材５６と、攪拌部材５６を、回転軸線Ｃ１を中心に回転させる駆動源５４とを有している。攪拌部材５６は、回転軸線Ｃ１を中心に回転することにより、貯水タンク４に貯められた水を攪拌する。
【００６８】
これによれば、光源１０からの紫外線の一部は、回転している攪拌部材５６で散乱しながら、貯水タンク４に貯められた水に照射される。これにより、光源１０からの紫外線を、貯水タンク４に貯められた水全体により一層まんべんなく照射することができ、殺菌効果をより一層高めることができる。
【００６９】
さらに、給水器２は、さらに、注水口１６に開閉可能に取り付けられた蓋部８を備えている。攪拌部材５６は、蓋部８の裏面部８ｂに回転可能に取り付けられている。
【００７０】
これによれば、駆動源５４を例えば蓋部８の内部に配置することができるので、給水器２をコンパクト化することができる。
【００７１】
（実施の形態２）
[２−１．攪拌機構の構成]
次に、図７を参照しながら、実施の形態２に係る給水器２Ａについて説明する。図７は、実施の形態２に係る給水器２Ａを示す断面図である。なお、以下に示す各実施の形態において、上記実施の形態１と同一の構成要素には同一の符号を付して、その説明を省略する。
【００７２】
本実施の形態では、攪拌機構１４Ａの配置が上記実施の形態１と異なっている。具体的には、図７に示すように、攪拌機構１４Ａは、貯水タンク４Ａの底部４Ａａに取り付けられ、且つ、光源１０の直下に配置されている。
【００７３】
駆動源５４は、貯水タンク４Ａの底部４Ａａにおいて、内側容器１８と外側容器２０Ａとの間の空間２２に配置されている。なお、本実施の形態では、外側容器２０Ａの深さ（Ｚ軸方向における大きさ）は、上記実施の形態１の外側容器２０の深さよりも大きいため、駆動源５４を貯水タンク４Ａの底部４Ａａにおける空間２２に配置することができる。
【００７４】
攪拌部材５６Ａのシャフト５６Ａａは、内側容器１８の底部を貫通してランプ４０Ａと略平行に（Ｚ軸方向に）長尺状に延びており、空間２２に配置された軸受５８に回転可能に支持されている。なお、本実施の形態では、シャフト５６Ａａの長さは、上記実施の形態１のシャフト５６ａの長さよりも短い。
【００７５】
複数の羽根５６ｂの高さ位置は、ランプ４０Ａのガラス管４０Ａａの下端と内側容器１８の底部との間に位置している。なお、本実施の形態では、ガラス管４０Ａａ及びガード部材４２Ａの各々の長さは、上記実施の形態１のガラス管４０ａ及びガード部材４２の各々の長さよりも短いため、ガラス管４０Ａａの下端と内側容器１８の底部との間に複数の羽根５６ｂを配置することができる。
【００７６】
図７に示すように、攪拌部材５６ＡがＺ軸方向に延びる回転軸線Ｃ２を中心に回転することにより、上記実施の形態１と同様に、貯水タンク４Ａに貯められた水が攪拌される。
【００７７】
[２−２．効果]
上述したように、本実施の形態の給水器２Ａでは、攪拌部材５６Ａは、貯水タンク４の底部４ａに回転可能に取り付けられている。
【００７８】
これによれば、駆動源５４を例えば貯水タンク４の底部４ａ（すなわち、内側容器１８と外側容器２０Ａとの間の空間２２）に配置することができるので、給水器２Ａをコンパクト化することができる。
【００７９】
（実施の形態３）
[３−１．攪拌機構の構成]
次に、図８及び図９を参照しながら、実施の形態３に係る給水器２Ｂについて説明する。図８は、実施の形態３に係る給水器２Ｂの貯水タンク４Ｂを抜き出して示す斜視図である。図９は、実施の形態３に係る給水器２Ｂを示す断面図である。
【００８０】
本実施の形態では、貯水タンク４Ｂの内側容器１８Ｂの構成が上記実施の形態１と異なっている。具体的には、図８及び図９に示すように、内側容器１８Ｂの内側面１８Ｂａには、貯水タンク４Ｂの周方向に沿って螺旋状に延びる凹凸部６６が形成されている。
【００８１】
さらに、本実施の形態では、攪拌機構１４Ｂの配置が上記実施の形態１と異なっている。具体的には、図９に示すように、攪拌機構１４Ｂは、貯水タンク４Ｂの底部４ａの近傍における貯水タンク４Ｂの側部４ｂに取り付けられている。
【００８２】
駆動源５４は、貯水タンク４Ｂの底部４ａの近傍において、内側容器１８Ｂと外側容器２０Ｂとの間の空間２２に配置されている。なお、本実施の形態では、外側容器２０Ｂの直径は、上記実施の形態１の外側容器２０の直径よりも大きいため、駆動源５４を空間２２に配置することができる。
【００８３】
攪拌部材５６Ｂのシャフト５６Ｂａは、内側容器１８Ｂの側面を貫通してランプ４０に略垂直に（Ｙ軸方向に）長尺状に延びており、空間２２に配置された軸受５８に回転可能に支持されている。なお、本実施の形態では、シャフト５６Ｂａの長さは、上記実施の形態１のシャフト５６の長さよりも短い。
【００８４】
図９に示すように、攪拌部材５６ＢがＹ軸方向に延びる回転軸線Ｃ３を中心に回転することにより、上記実施の形態１と同様に、貯水タンク４Ｂに貯められた水が攪拌される。このとき、攪拌部材５６Ｂから貯水タンク４Ｂの底部４ａに沿って流動する水は、底部４ａに取り付けられた傾斜板６７で上方に（Ｚ軸のプラス側に）反射する。この反射した水は、内側容器１８Ｂの凹凸部６６に沿って上方に且つ螺旋状に流動しながら攪拌されるようになる。
【００８５】
[３−２．効果]
上述したように、本実施の形態の給水器２Ｂでは、攪拌部材５６Ｂは、貯水タンク４Ｂの側部４ｂに回転可能に取り付けられている。
【００８６】
これによれば、駆動源５４を例えば貯水タンク４Ｂの側部４ｂ（内側容器１８Ｂと外側容器２０Ｂとの間の空間２２）に配置することができるので、給水器２Ｂをコンパクト化することができる。
【００８７】
さらに、内側容器１８Ｂの内側面１８Ｂａ（すなわち、貯水タンク４Ｂの内側面）には、貯水タンク４Ｂの周方向に沿って螺旋状に延びる凹凸部６６が形成されている。
【００８８】
これによれば、貯水タンク４Ｂに貯められた水は、内側容器１８Ｂの凹凸部６６に沿って螺旋状に流動しながら攪拌されるので、当該水を効果的に攪拌することができる。
【００８９】
（実施の形態４）
[４−１．攪拌機構の構成]
次に、図１０及び図１１を参照しながら、実施の形態４に係る給水器２Ｃについて説明する。図１０は、実施の形態４に係る給水器２Ｃの蓋部８Ｃを抜き出して示す斜視図である。図１１は、実施の形態４に係る給水器２Ｃを示す断面図である。
【００９０】
本実施の形態では、攪拌機構１４Ｃの構成が上記実施の形態１と異なっている。具体的には、図１０及び図１１に示すように、攪拌機構１４Ｃは、光源１０Ｃを貯水タンク４の内部で旋回（移動の一例）させる駆動源６８を有している。すなわち、駆動源６８が光源１０Ｃを貯水タンク４の内部で旋回させることにより、貯水タンク４に貯められた水が攪拌される。
【００９１】
駆動源６８は、例えば電動モータであり、蓋部８Ｃの内部に配置されている。駆動源６８の出力軸（図示せず）とコネクタ４６Ｃとの間には、略Ｌ字状のシャフト７０が連結されている。これにより、コネクタ４６Ｃは、駆動源６８の出力軸と一体的に、Ｚ軸方向に延びる旋回軸線Ｃ４を中心に旋回する。
【００９２】
蓋部８Ｃの裏面部８Ｃｂの下面には、光源１０Ｃの旋回をガイドするためのガイド孔７２が形成されている。ガイド孔７２は、裏面部８Ｃｂの周方向に沿って略Ｃ字状に延びている。光源１０Ｃのランプ４０の給電部４０ｂは、ガイド孔７２に移動可能に挿入され、コネクタ４６Ｃに電気的に接続されている。なお、本実施の形態では、光源１０Ｃは、上記実施の形態１で説明したガード部材４２を有していないが、光源１０Ｃの旋回経路全体を囲むことができる大きさのガード部材を裏面部８Ｃｂに取り付けてもよい。
【００９３】
駆動源６８が正方向と逆方向とに交互に駆動することにより、光源１０Ｃは、紫外線を照射しながら、コネクタ４６Ｃと一体的に旋回軸線Ｃ４を中心に往復旋回する。すなわち、光源１０Ｃは、ガイド孔７２に沿ってガイドされながら、ガイド孔７２の一端部７２ａと他端部７２ｂとの間を往復旋回する。このように光源１０Ｃが貯水タンク４の内部で旋回することにより、貯水タンク４に貯められた水が攪拌される。
【００９４】
[４−２．効果]
上述したように、本実施の形態の給水器２Ｃでは、攪拌機構１４Ｃは、光源１０Ｃを貯水タンク４の内部で移動させる駆動源６８を有している。光源１０Ｃは、駆動源６８によって貯水タンク４の内部で移動することにより、貯水タンク４に貯められた水を攪拌する。
【００９５】
これによれば、紫外線を照射する光源１０Ｃを利用して、貯水タンク４に貯められた水を攪拌するので、攪拌機構１４Ｃの構成を簡素化することができる。
【００９６】
（実施の形態５）
[５−１．攪拌機構の構成]
次に、図１２を参照しながら、実施の形態５に係る給水器２Ｄについて説明する。図１２は、実施の形態５に係る給水器２Ｄを示す断面図である。
【００９７】
本実施の形態では、攪拌機構１４Ｄの構成が上記実施の形態１と異なっている。具体的には、図１２に示すように、攪拌機構１４Ｄは、貯水タンク４に貯められた水を加熱するヒータ７４を有している。
【００９８】
ヒータ７４は、例えば、水に浸漬された状態で水を直接加熱することができる水中ヒータである。ヒータ７４は、ガード部材４２Ｄの下端（先端）に取り付けられ、且つ、貯水タンク４の底部４ａの近傍に配置されている。ヒータ７４は、蓋部８の内部に配置された電源部（図示せず）とケーブル（図示せず）を介して電気的に接続されている。電源部からの電力がケーブルを介してヒータ７４に供給されることにより、ヒータ７４が発熱する。
【００９９】
なお、本実施の形態では、上記実施の形態２と同様に、光源１０Ｄのランプ４０Ｄのガラス管４０Ｄａ及びガード部材４２Ｄの各々の長さは、上記実施の形態１のガラス管４０ａ及びガード部材４２の各々の長さよりも短い。そのため、ガラス管４０Ｄａの下端と内側容器１８の底部との間にヒータ７４を配置することができる。
【０１００】
図１２に示すように、光源１０Ｄからの紫外線が貯水タンク４に貯められた水を照射している間、ヒータ７４が発熱することにより、ヒータ７４の近傍の水が加熱される。加熱された水が上方に（Ｚ軸のプラス側に）流動することにより、貯水タンク４の内部には対流が発生するようになる。この発生した対流によって、貯水タンク４に貯められた水が攪拌される。
【０１０１】
[５−２．効果]
上述したように、本実施の形態の給水器２Ｄでは、攪拌機構１４Ｄは、貯水タンク４に貯められた水を加熱するヒータ７４を有している。ヒータ７４は、貯水タンク４に貯められた水を加熱することによって発生した対流により当該水を攪拌する。
【０１０２】
これによれば、ヒータ７４が貯水タンク４に貯められた水を加熱することによって発生した対流により当該水を攪拌するので、攪拌機構１４Ｄの構成を簡素化することができる。また、貯水タンク４に貯められた水がヒータ７４により加熱されるので、給水口６から温水を給水することができる。
【０１０３】
（変形例等）
以上、本発明について実施の形態１〜５に基づいて説明したが、本発明は、上記の実施の形態１〜５に限定されるものではない。
【０１０４】
上記実施の形態１〜３では、攪拌部材５６（５６Ａ，５６Ｂ）をプロペラファンで構成したが、これに限定されず、例えばシロッコファン等で構成してもよい。
【０１０５】
また、実施の形態４では、光源１０Ｃを往復旋回させたが、これに限定されず、例えば光源１０Ｃを一方向に旋回させてもよい。あるいは、光源１０Ｃを直線的に往復移動させてもよく、光源１０Ｃの移動経路は適宜設定することができる。
【０１０６】
また、実施の形態５では、ヒータ７４をガード部材４２Ｄの下端に取り付けたが、これに限定されず、例えばヒータ７４を蓋部８の裏面部８ｂ又は内側容器１８等の任意の箇所に取り付けてもよい。
【０１０７】
その他、上記実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１０８】
２，２Ａ，２Ｂ，２Ｃ，２Ｄ  給水器
４，４Ａ，４Ｂ  貯水タンク
４ａ  底部
４ｂ  側部
６  給水口
８，８Ｃ  蓋部
１０，１０Ａ，１０Ｃ，１０Ｄ  光源
１４，１４Ａ，１４Ｂ，１４Ｃ，１４Ｄ  攪拌機構
１６  注水口
５４，６８  駆動源
５６，５６Ａ，５６Ｂ  攪拌部材
５６ｂ  羽根
６６  凹凸部
７４  ヒータ
Ｃ１，Ｃ２，Ｃ３  回転軸線
【図１】
2017170341.tif 000003
【図２】
2017170341.tif 000004
【図３】
2017170341.tif 000005
【図４】
2017170341.tif 000006
【図５】
2017170341.tif 000007
【図６】
2017170341.tif 000008
【図７】
2017170341.tif 000009
【図８】
2017170341.tif 000010
【図９】
2017170341.tif 000011
【図１０】
2017170341.tif 000012
【図１１】
2017170341.tif 000013
【図１２】
2017170341.tif 000014